(57)【要約】【課題】建屋の断熱施工性及び断熱性に優れていると共に、解体や増改築の作業及び構造材からのウレタン材の分離作業を能率的に行うことや、構造材をコストを掛けずにリサイクルができるので産業廃棄物問題に対応できる。【解決手段】建屋の外断熱外壁構造Ａを構成し、所定の間隔で立設した縦柱１、１間には壁構造用合板２、２が着設してある。縦柱１の外側面１Ａと壁構造用合板２の外面２Ａには、例えば高密度ポリエチレン製シートからなる防風透湿性の介装シート３が全面的に貼着してある。介装シート３にはウレタン材を吹付け手段によりウレタン層６が成形してあり、ウレタン層６は建屋の解体時や増改築時には介装シート３と一体の状態で構造材と分別することができる。【選択図】　　図１
2004011123.tif 000002
【特許請求の範囲】
【請求項１】
建屋を構成する構造材の外側面に介装シートを被着し、該介装シート上に吹付け手段によりウレタン層を成形したことを特徴とする建屋のウレタン吹付け断熱工法。
【請求項２】
前記介装シートは、防風透湿性を有することを特徴とする請求項１記載の建屋のウレタン吹付け断熱工法。
【発明の詳細な説明】
【０００１】
【発明の属する技術分野】
本発明は、住宅、倉庫等の建屋の断熱性を高めると共に、解体作業を能率的に行うことと廃材のリサイクルを図ることができる建屋のウレタン吹付け断熱工法に関する。
【０００２】
【従来の技術】
従来、建屋の断熱工法では断熱材にグラスウールを用いていたが、国が住宅の断熱基準について次世代の省エネルギー住宅という要請から高い基準値を設定したことに伴い、断熱材としてより高性能なウレタン材の使用が普及してきている。そして、このウレタン材を使用する工法としては、ウレタン材を予めパネル状に成形し、建築現場で柱や構造用合板等の構造材にこのウレタンパネルを張り合せて断熱層を形成するウレタンパネル断熱工法と、建築現場で構造材にウレタン材を吹付け手段により直接吹付けてウレタン層を形成するウレタン吹付け断熱工法とがあり、ウレタン吹付け断熱工法がコストの面、建屋の形状に左右されない施工性の良さ及び連続した断熱層を形成できるといった長所があることから急速に普及している。
【０００３】
【発明が解決しようとする課題】
ウレタン吹付け断熱工法は幾多の優れた点を有する工法であるが、以下の問題点がある。第一は、ウレタン材は構造材に直接吹付けるので構造材と一体化する反面、外壁の手直し時や増改築時、或は建屋の解体時においてウレタン材を構造材から簡単には分離できないことである。しかし、産業廃棄物として処分するためや、構造材をリサイクル法に対応するためには、木材からウレタン材を分離させなければならないことから、ウレタン材を直接吹付ける工法ではこの問題に対応できないという致命的な欠点となっている。第二は、断熱効果を得るためには構造材にウレタン材を均一に吹付けることが重要であるが、作業者の技量によってウレタン層が不均一になる場合があり、断熱性にむらができることである。
【０００４】
本発明は上述した従来技術の未解決の問題点に鑑みなされたもので、建屋の断熱性に優れていると共に、解体或は増改築の作業及び構造材からのウレタン材の分離作業を能率的に行うことができるし、構造材をコストを掛けずにリサイクルすることができる建屋のウレタン吹付け断熱工法を提供することを目的とする。
【０００５】
【課題を解決するための手段】
上述した課題を解決するために構成された本発明を構成する手段は、建屋を構成する構造材の外側面に介装シートを被着し、該介装シート上に吹付け手段によりウレタン層を成形したことにある。
【０００６】
そして、前記介装シートは、防風透湿性を有するものを用いるとよい。
【０００７】
【発明の実施の形態】
以下、本発明の実施の形態を図面に基づき詳述する。図１は建屋の外断熱外壁構造を示す。図において、１、１は外壁構造Ａを構成する構造材としての縦柱で、該縦柱１、１は所定の間隔で図示しない基礎に立設してある。２、２は該縦柱１、１と共に構造材を構成する厚さ約９，５ｍｍの壁構造用合板で、該壁構造用合板２、２は縦柱１、１間にわたってその外側面１Ａに張設してある。
【０００８】
３は前記壁構造用合板２の外面２Ａに全面的に粘着剤を用いて貼着した介装シートで、該介装シート３には例えば厚さ約０，１ｍｍの高密度ポリエチレン製で防風透湿性を有するシートを用いている。ここで、介装シート３に防風透湿性のものを用いたのは、厚さが約０，１ｍｍで壁構造用合板２に貼着し易いこと、引張り強度が高く破損しにくいこと、ウレタン材との密着性がよいことにあるが、同様の機能を有する素材のものであればよい。また、介装シート３は粘着剤に替えてビョウ等で止着してもよい。
【０００９】
そして、前記介装シート３の上からは後述するサイディングボード７を支持するための支持ブラケット４、４が壁構造用合板２を介して縦柱１にねじ或は釘により固着してあり、該各支持ブラケット４の先端部に縦胴縁５が取着してある。
【００１０】
６は介装シート３の外面にウレタン材を吹付け手段により形成したウレタン層で、該ウレタン層６は厚さ約６５〜７０ｍｍに形成してあり、支持ブラケット４の高さ内に納めてある。７は前記縦胴縁５、５に釘止めすることにより着設した防火サイディングボードで、該防火サイディングボード７と前記ウレタン層６との間には図面の表裏面方向を縦方向とする通気層８が画成してある。なお、９は屋内側に位置して縦柱１、１に着設した内壁材である。
【００１１】
本実施の形態は上述の構成からなり、建屋を建築する工程は防風透湿性の介装シート３を壁構造用合板２に貼着する以外は従来の工程に同じであり、格別に工程を複雑にしたり建築費を高めたりするものではないが、壁構造用合板２の全面に防風透湿性の介装シート３を貼着する構成にしてある。高密度ポリエチレン製シートからなる介装シート３は、引張り強度が高く破損しにくいことから外気の侵入を確実に遮断して気密性を向上できると共に、ウレタン材との密着性が良いのでウレタン吹付け作業の作業性向上を図ることができる。他方、建屋の増改築時や解体時に排出される廃材は産業廃棄物として処理するためには、構造材である木材と化学製品である介装シート３及びウレタン材は分離しなければならないが、ウレタン層６は縦柱１及び壁構造用合板２の構造材に対して剥離可能な介装シート３上に吹付け手段により成形してあるから、構造材から介装シート３を剥すだけで木材との分別が容易にできる。
【００１２】
図２は第２の実施の形態に係り、建屋の内断熱外壁構造を示す。なお、本実施の形態及び以下に説明する他の実施の形態において第１の実施の形態の構成要素と同一の構成要素には同一の符号を付して援用し、その詳細は省略する。図において、１、１は外壁構造Ｂを構成する構造材としての縦柱で、該縦柱１、１の外側面１Ａに壁構造用合板２、２が着設してある。
【００１３】
１１は前記壁構造用合板２の外面２Ａに貼着した防風防湿のための外部シートで、該外部シート１１の外側に縦胴縁５、５を設け、該縦胴縁５、５を介して防火サイディングボード７が着設してあり、防火サイディングボード７と外部シート１１との間は縦胴縁５、５によって画成された通気層１２、１２、１２になっている。
【００１４】
１３は縦柱１、１から壁構造用合板２の内面２Ｂにかけて貼着した介装シートで、該介装シート１３には第１の実施の形態と同様に高密度ポリエチレン製のシートを用いている。１４は該介装シート１３にウレタン材を吹付け手段により形成した厚さ約８５ｍｍのウレタン層で、該ウレタン層１４は縦柱１の外側面１Ａより内側の厚さに形成してある。そして、ウレタン層１４の外側は縦柱１、１に着設した内壁材９、９によって覆ってある。
【００１５】
上述の構成からなる本実施の形態によれば、壁構造用合板２の外面２Ａに防風防湿のための外部シート１１を貼着し、壁構造用合板２の内面２Ｂ及び縦柱１に介装シート１３を着設したから、外部の冷気や湿気をより確実に遮断することにより断熱効果を高めることができる。また、上記の構成にすることにより、建屋の解体時における廃材の分別や増改築時の作業を効率的に行うことができるのは第１の実施の形態と同じである。
【００１６】
次に、図３は第３の実施の形態に係る建屋の外断熱小屋裏構造Ｃを示す。図において、２１は縦柱１に架設した桁、２２は縦柱１に架設した梁を示し、該桁２１及び梁２２に支持させて天井板２３、２３が設けてある。２４は外断熱壁構造Ａを構成する壁構造用合板２の下部側から前記天井板２３、２３の上面２３Ａに全面的に貼着した介装シートで、該介装シート２４には高密度ポリエチレン製のシートを用いている。２５は該介装シート２４の上面にウレタン材を吹付け手段により約１３０ｍｍの厚さに形成したウレタン層である。
【００１７】
なお、図中２６は建屋を構成する陸屋根で、該陸屋根２６はたるき２６Ａ、むね２６Ｂ、平板２６Ｃ等で構成してある。
【００１８】
上述の構成からなる本実施の形態によれば、天井板２３の上面２３Ａを介装シート２４で覆い、介装シート２４の上にウレタン層２５を形成したから、外気を導入して流動させる小屋裏の冷気に対して屋内を遮断することができる。
【００１９】
また、図４は第４の実施の形態に係る建屋の外断熱床構造Ｄを示す。図において、３１、３１は建屋の一階に車庫スペースＥを確保するために地盤に立設した鉄骨で、該鉄骨３１、３１上に基礎用鋼材３２、３２を設置し、各基礎用鋼材３２上に土台３３、３３を配置し、該土台３３、３３上に床構造用合板３４、３４が敷設してある。３５は床構造用合板３４、３４の上面３４Ａに敷設したフローリング等の床材で、床材３５と縦柱１との角隅には幅木３６が設けてある。
【００２０】
３７は高密度ポリエチレン製のシートからなる介装シートで、該介装シート３７は床構造用合板３４、３４の各下面３４Ｂから土台３３の外側面３３Ａにかけて全面的に貼着することにより、下方の車庫スペースＥからの冷気が床上に侵入するのを遮断している。３８は前記介装シート３７の外面にウレタン材を吹付け手段により成形したウレタン層で、該ウレタン層３８は約８５ｍｍの厚さに成形してある。
【００２１】
上述の構成からなる実施の形態によれば、外断熱床構造Ｄにおいて屋内と温度の低い床下との間を介装シート３７とウレタン層３８で遮断して断熱効果を高めたから屋内の保温性に優れていると共に、介装シート３７である高密度ポリエチレン製シートに対してウレタン材の付着性がよいから外断熱床構造の作業を容易に行うことができる。
【００２２】
【発明の効果】
本発明は以上詳述した如く構成したから、下記の諸効果を奏する。
（１）建屋を構成する構造材の外側面を介装シートで覆い、該介装シート上にウレタン材を吹付け手段により吹き付けてウレタン層を成形したから、ウレタン吹付け工法の長所である連続した断熱層の形成及び建屋の形態に制約されない施工性の良さを生かすことができると共に、解体時や増改築時には構造材からウレタン層は介装シートと一体に分離し分別することができるので、これらの作業を容易に能率よく行なうことができる。
（２）解体或は増改築後に、構造材は介装シートを剥すことによりウレタン材から簡単な作業で分別できるので時間や労力を節減することができるし、そのためのコストも殆ど不要である。
（３）構造材にウレタン材を直接吹付けることによりウレタン層を一体化している従来技術ではウレタン材を剥離して除去する作業は不可能であるが、本発明によれば介装シートを剥すだけで構造材をコストを掛けずにリサイクルすることができるのであって産業廃棄物問題に対応することができる。
（４）介装シートは構造材にウレタン層が一体に付着するのを防止するだけでなく、建屋の気密性を高める機能を有しているから断熱性を高める効果がある。
（５）介装シートには防風透湿性を有するものを用いるようにしたから、断熱性に優れているし結露が生じない建屋にすることができる。
【図面の簡単な説明】
【図１】本発明の第１の実施の形態に係るウレタン吹付け断熱工法による建屋の外断熱外壁構造を示す部分横断面図である。
【図２】第２の実施の形態に係るウレタン吹付け断熱工法による建屋の内断熱外壁構造を示す部分横断面図である。
【図３】第３の実施の形態に係る建屋のウレタン吹付け断熱工法による建屋の小屋裏外断熱構造を示す部分縦断面図である。
【図４】第４の実施の形態に係る建屋のウレタン吹付け断熱工法による建屋の床外断熱構造を示す部分縦断面図である。
【符号の説明】
１　　　　縦柱
２、　　　壁構造用合板
３、１３、２４、３７　介装シート
６、１４、２５、３８　ウレタン層
２１　　　桁
２３　　　天井構造用合板
３３　　　土台
３４　　　床構造用合板
【図１】
2004011123.tif 000003
【図２】
2004011123.tif 000004
【図３】
2004011123.tif 000005
【図４】
2004011123.tif 000006